(57)【要約】【課題】ヘルメットの使用者に合ったベルトの調整を迅速かつ容易に行なうことができるヘルメットを提供すること。【解決手段】ヘルメット１は、頭部に装着した装着状態で用いられるものである。このヘルメット１は、装着状態を維持する装着状態維持部３を備える。装着状態維持部３は、可撓性を有する第１ベルト４と、第１ベルト４が挿通した状態で頭部に対する第１ベルト４の長さを調整し、その調整位置で第１ベルト４を留めるバックル５とを有する。そして、第１ベルト４は、長さの調整が行われるときに指ＦＧを掛ける指掛け部４６を有する。【選択図】図２
2019044302.tif 000002
【特許請求の範囲】
【請求項１】
頭部に装着した装着状態で用いられるヘルメットであって、
前記装着状態を維持する装着状態維持部を備え、
前記装着状態維持部は、可撓性を有するベルトと、
前記ベルトが挿通した状態で前記頭部に対する前記ベルトの長さを調整し、その調整位置で前記ベルトを留めるバックルとを有し、
前記ベルトは、前記長さの調整が行われるときに指を掛ける指掛け部を有することを特徴とするヘルメット。
【請求項２】
前記指掛け部には、前記指が挿入される空間が形成されている請求項１に記載のヘルメット。
【請求項３】
前記指掛け部は、前記ベルトを貫通する貫通孔で構成されている請求項２に記載のヘルメット。
【請求項４】
前記指掛け部は、指先が当接する底部を有する凹部で構成されている請求項２に記載のヘルメット。
【請求項５】
前記ベルトは、前記空間に前記指を案内するガイド部を有する請求項２ないし４のいずれか１項に記載のヘルメット。
【請求項６】
前記ベルトは、その長手方向に沿って配置された複数の第１爪部を有し、
前記バックルは、前記複数の第１爪部のうちのいずれかの第１爪部を前記調整位置として、該第１爪部に係合する第２爪部と、該第２爪部による係合を解除する操作を行なう操作部とを有する請求項１ないし５のいずれか１項に記載のヘルメット。
【請求項７】
前記ベルトは、後頭部側で前記バックルによって留められる請求項１ないし６のいずれか１項に記載のヘルメット。
【請求項８】
前記ベルトは、あごの下側で前記バックルによって留められる請求項１ないし６のいずれか１項に記載のヘルメット。
【発明の詳細な説明】
【技術分野】
【０００１】
本発明は、ヘルメットに関する。
【背景技術】
【０００２】
例えば建設現場等のような工事現場の作業者は、ヘルメットを装着して作業を行なう。ヘルメットには、帽体と、ヘッドバントと、ヘッドバンドの長さを調整する調整機構とを有するものがある（例えば、特許文献１参照）。特許文献１に記載のヘルメットは、そのヘルメットを装着する作業者の頭の大きさ（頭周り）に応じて、ヘッドバンドの長さを調整して用いられる。
【０００３】
また、特許文献１に記載のヘルメットでは、ヘッドバントは、その両端側をそれぞれ調整機構に挿通し、交差した状態となっている。そして、ヘッドバントの長さを調整する際には、作業者は、両方の手でそれぞれヘッドバントの各端部を把持して、一括して引張ったり、ヘッドバントの片方の端部を緩めたりして、その調整を行なっている。
【０００４】
しかしながら、このような調整は、両手で行なわれ、また、ヘッドバントを両端側から引張ったり弛めたりする必要があるため、煩雑であり、時間もがかかる。
【先行技術文献】
【特許文献】
【０００５】
【特許文献１】特開２００６−１８８７７１号公報
【発明の概要】
【発明が解決しようとする課題】
【０００６】
本発明の目的は、ヘルメットの使用者に合ったベルトの調整を迅速かつ容易に行なうことができるヘルメットを提供することにある。
【課題を解決するための手段】
【０００７】
このような目的は、下記（１）〜（８）の本発明により達成される。
（１）  頭部に装着した装着状態で用いられるヘルメットであって、
前記装着状態を維持する装着状態維持部を備え、
前記装着状態維持部は、可撓性を有するベルトと、
前記ベルトが挿通した状態で前記頭部に対する前記ベルトの長さを調整し、その調整位置で前記ベルトを留めるバックルとを有し、
前記ベルトは、前記長さの調整が行われるときに指を掛ける指掛け部を有することを特徴とするヘルメット。
【０００８】
（２）  前記指掛け部には、前記指が挿入される空間が形成されている上記（１）に記載のヘルメット。
【０００９】
（３）  前記指掛け部は、前記ベルトを貫通する貫通孔で構成されている上記（２）に記載のヘルメット。
【００１０】
（４）  前記指掛け部は、指先が当接する底部を有する凹部で構成されている上記（２）に記載のヘルメット。
【００１１】
（５）  前記ベルトは、前記空間に前記指を案内するガイド部を有する上記（２）ないし（４）のいずれかに記載のヘルメット。
【００１２】
（６）  前記ベルトは、その長手方向に沿って配置された複数の第１爪部を有し、
前記バックルは、前記複数の第１爪部のうちのいずれかの第１爪部を前記調整位置として、該第１爪部に係合する第２爪部と、該第２爪部による係合を解除する操作を行なう操作部とを有する上記（１）ないし（５）のいずれかに記載のヘルメット。
【００１３】
（７）  前記ベルトは、後頭部側で前記バックルによって留められる上記（１）ないし（６）のいずれかに記載のヘルメット。
【００１４】
（８）  前記ベルトは、あごの下側で前記バックルによって留められる上記（１）ないし（６）のいずれかに記載のヘルメット。
【発明の効果】
【００１５】
本発明によれば、ヘルメットの使用者に合ったベルトの調整を迅速かつ容易に行なうことができる。
【図面の簡単な説明】
【００１６】
【図１】図１は、本発明のヘルメットの第１実施形態を示す側面図である。
【図２】図１中の矢印Ａ方向から見た図（背面図）である。
【図３】図３は、図２中のＢ−Ｂ線断面図である。
【図４】図４は、図３に示す状態から係合を解除した状態を示す断面図である。
【図５】図５は、本発明のヘルメット（第２実施形態）が有するベルトを示す背面図である。
【図６】図６は、本発明のヘルメット（第３実施形態）が有するベルトを示す断面図である。
【図７】図７は、本発明のヘルメットの第４実施形態を示す背面図である。
【図８】図８は、本発明のヘルメットの第５実施形態を示す側面図である。
【発明を実施するための形態】
【００１７】
以下、本発明のヘルメットを添付図面に示す好適な実施形態に基づいて詳細に説明する。
【００１８】
＜第１実施形態＞
図１は、本発明のヘルメットの第１実施形態を示す側面図である。図２は、図１中の矢印Ａ方向から見た図（背面図）である。図３は、図２中のＢ−Ｂ線断面図である。図４は、図３に示す状態から係合を解除した状態を示す断面図である。なお、以下では、説明の都合上、図１および図２中（図５、図７および図８についても同様）の上側を「上（または上方）」、下側を「下（または下方）」と言う。また、図１中（図８についても同様）の左側を「前（または前方）」、右側を「後（または後方）」と言う。また、図３および図４中（図６についても同様）の上側を「後（または後方）」、下側を「前（または前方）」と言うことがある。
【００１９】
図１に示すヘルメット１は、例えば、建設現場等のような工事現場で作業する作業者、工場内で作業する作業者、救急救命処置を施す救急救命士等が頭部ＨＤに装着した状態（以下「装着状態」と言う）で用いられるものである。このヘルメット１は、頭部ＨＤを覆う帽体２と、装着状態を維持する装着状態維持部（着装体）３とを備えている。以下、各部の構成について説明する。
【００２０】
帽体２は、ボウル（bowl）状をなし、頭部ＨＤに被るものである。これにより、装着状態で頭部ＨＤを覆うことができ、よって、頭部ＨＤを保護することができる。
【００２１】
帽体２の構成材料としては、ヘルメット１の使用用途、すなわち、使用される環境にもよるが、例えば、ＦＲＰ（繊維強化プラスチック）や、その他、ＰＣ（ポリカーボネート）、ＡＢＳ樹脂（アクリロニトリル−ブタジエン−スチレン共重合体）等のような硬質材料が挙げられる。
【００２２】
装着状態維持部３は、ヘッドバントとして機能する第１ベルト４と、第１ベルト４を留めるバックル５と、あご紐として機能する第２ベルト６とを有している。また、装着状態維持部３は、図示はしないが、これらの他に、装着状態で帽体２と頭部ＨＤとの間に配置されるハンモック、帽体２と第２ベルト６とを連結する耳紐等も有している。
【００２３】
第１ベルト４は、可撓性を有する長尺な部材である。図１に示すように、第１ベルト４は、帽体２の内周部の周方向に沿って配置され、ヘルメット１を使用する使用者の頭部ＨＤの周囲に巻き付けられる。なお、第１ベルト４の全長は、予想される使用者の頭部ＨＤの周囲（頭周り）よりも十分に長い。また、図３、図４に示すように、第１ベルト４の一端４１側の部分は、他端４２側の部分に重なっている。また、第１ベルト４は、その長手方向に沿った複数の箇所で帽体２に支持されている。
【００２４】
第１ベルト４の構成材料としては、特に限定されず、例えば、ＰＰ（ポリプロピレン）等のような比較的軟質の樹脂材料を用いることができる。
【００２５】
図１、図２に示すように、第１ベルト４は、前方で帽体２の内側に位置する第１部分４３と、後方で帽体２の外側に位置する第２部分４４とに分けることができる。第２部分４４には、一端４１、他端４２が含まれている。
【００２６】
図２に示すように、第１ベルト４の第２部分４４には、一端４１側の部分に複数の第１爪部４５が形成されている。これらの第１爪部４５は、第１ベルト４の長手方向に沿って配置されている。図３、図４に示すように、各第１爪部４５は、厚さが他端４２側に向かって漸増したくさび状をなしており、一端４１側の傾斜面４５１と、他端４２側の直立面４５２とを有している。なお、第１爪部４５の形成は、特に限定されない。
【００２７】
バックル５は、第１ベルト４の一端４１側を他端４２側に対して留めるものである。図２〜図４に示すように、バックル５は、ハウジング（本体部）７と、係合部材８とを有している。なお、バックル５の構成材料としては、特に限定されず、例えば、第１ベルト４の構成材料と同じ材料を用いることができる。
【００２８】
ハウジング７は、第１ベルト４の他端４２側に配置されている。図２に示すように、ハウジング７は、一端側壁部７１と、他端側壁部７２と、上側壁部７３と、下側壁部７４と、背面側壁部７５とを有する中空体で構成されている。
【００２９】
図３、図４に示すように、一端側壁部７１には、その厚さ方向に貫通する貫通孔７１１が形成されている。他端側壁部７２にも、その厚さ方向に貫通する貫通孔７２１が形成されている。これにより、第１ベルト４は、一端４１側がハウジング７内を挿通した状態となる。そして、バックル５は、第１ベルト４がハウジング７を挿通した状態で頭部ＨＤに対する第１ベルト４の長さを調整し、その調整位置で第１ベルト４を留めることができる。これにより、帽体２は、頭部ＨＤに対して確実に保持され、よって、頭部ＨＤを確実に保護することができ、安全性が向上する。
【００３０】
また、背面側壁部７５には、その厚さ方向に貫通する貫通孔７５１が形成されている。
ハウジング７は、第１ベルト４と一体的に形成されているのが好ましいが、第１ベルト４と別体で構成され、この別体を第１ベルト４に固定したものであってもよい。
【００３１】
図３、図４に示すように、係合部材８は、ハウジング７内で、図の紙面に垂直な軸回りに回動可能に支持されている。また、係合部材８は、図中の反時計回りに回動する方向に付勢されている。この係合部材８は、第１爪部４５に係合する第２爪部８１と、第２爪部８１の係合を解除する操作を行なう操作部８２と、第２爪部８１と操作部８２とを連結する連結部８３とを有している。
【００３２】
図３に示すように、第２爪部８１は、図中の下側、すなわち、前方に向かって突出して形成されている。この第２爪部８１は、一端側壁部７１の貫通孔７１１側で、第１ベルト４の複数の第１爪部４５のうちのいずれかの第１爪部４５の直立面４５２に係合することができる。この係合位置は、使用者の頭部ＨＤの大きさによって異なっており、その大きさに適した第１ベルト４の調整位置となる。これにより、第１ベルト４は、適度な長さに調整される。よって、使用者は、ヘルメット１を装着した際、ほどよいフィット感が得られ、そのまま使い続けることができる。
【００３３】
図４に示すように、操作部８２は、背面側壁部７５の貫通孔７５１に配置され、後方に臨んでいる。操作部８２は、第２爪部８１による係合を解除する操作を行なう部分である。この係合解除操作は、操作部８２を指ＦＧ（例えば人差し指）で図４中の下側（矢印α８）、すなわち、前方に向かって押圧することにより行なわれる。これにより、第２爪部８１が持ち上がって、第１爪部４５から離間することができ、よって、当該第１爪部４５との係合が解除される。この係合解除状態では、第１ベルト４を緩めることができる。
【００３４】
また、図１、図２に示すように、本実施形態では、第１ベルト４は、後方、すなわち、後頭部側でバックル５によって留められている。これにより、バックル５が使用者の視覚に入る等のような作業の邪魔になるのを防止することができる。
【００３５】
第２ベルト６は、可撓性を有する長尺な部材である。図１に示すように、第２ベルト６は、ヘルメット１を使用する使用者の顔の輪郭に沿って巻き付けられるあご紐である。これにより、使用者の姿勢によらず、装着状態にあるヘルメット１が頭部ＨＤから脱落するのを防止することができる。
【００３６】
第２ベルト６の構成材料としては、特に限定されず、例えば、第１ベルト４の構成材料と同じ材料や織布等を用いることができる。
【００３７】
前述したように、バックル５の第２爪部８１に対する第１爪部４５の係合位置を変えることにより、第１ベルト４の長さを調整可能となっている。そして、図２、図３に示すように、第１ベルト４は、長さの調整が行われるときに指ＦＧ（例えば人差し指）を掛ける指掛け部４６を有している。この指掛け部４６は、第１爪部４５よりも一端４１側に位置している。また、指掛け部４６は、第１ベルト４をその厚さ方向に貫通する貫通孔で構成されている。これにより、指掛け部４６は、指ＦＧが挿入される空間４６１が形成された部分となる。ヘルメット１の使用者は、この空間４６１に指ＦＧを挿入すれば、指掛け部４６（第１ベルト４）に指ＦＧを十分に引掛けることができる（図３参照）。そして、そのまま矢印α４方向に引張ることにより、第２爪部８１が各第１爪部４５の傾斜面４５１を順に乗り越えることができ、第１ベルト４の長さが調整される。
【００３８】
このようにヘルメット１では、指掛け部４６に指ＦＧを掛けたまま矢印α４方向に引張るという簡単な操作で、ヘルメット１の使用者に合った第１ベルト４の長さの調整を迅速かつ容易に行なうことができる。
【００３９】
なお、貫通孔で構成された指掛け部４６の形状は、本実施形態では第１ベルト４の平面視で四角形をなしているが、これに限定されず、例えば、その他の多角形や円形等であってもよい。
【００４０】
図２、図３に示すように、第１ベルト４は、空間４６１に指ＦＧを案内するガイド部４７を有している。ガイド部４７は、小片で構成されており、第１ベルト４の一端４１と、指掛け部４６との間に配置、固定されている。図３に示すように、小片で構成されたガイド部４７は、その厚さが他端４２側に向かって漸減したくさび状をなしており、傾斜面４７１を有している。そして、指掛け部４６に指ＦＧを掛ける際に、その指ＦＧが傾斜面４７１に沿って指掛け部４６まで案内される。これにより、使用者は、その後方にある指掛け部４６が見えずとも、指掛け部４６に指ＦＧを容易かつ迅速に掛けることができる。
【００４１】
なお、ガイド部４７は、本実施形態では小片で構成されているが、これに限定されず、例えば、第１ベルト４と一体的に形成されていてもよい。
【００４２】
＜第２実施形態＞
図５は、本発明のヘルメット（第２実施形態）が有するベルトを示す背面図である。
【００４３】
以下、この図を参照して本発明のヘルメットの第２実施形態について説明するが、前述した実施形態との相違点を中心に説明し、同様の事項はその説明を省略する。
本実施形態は、指掛け部の形状が異なること以外は前記第１実施形態と同様である。
【００４４】
図５に示すように、本実施形態では、指掛け部４６は、空間４６１が下方に向かって開放した部分となっている。これにより、使用者の指ＦＧの太さによらず、その指ＦＧを空間４６１に入れて、指掛け部４６に確実に引掛けることができる。よって、第１ベルト４を引張って、第１ベルト４の長さの調整を行なうことができる。
【００４５】
＜第３実施形態＞
図６は、本発明のヘルメット（第３実施形態）が有するベルトを示す断面図である。
【００４６】
以下、この図を参照して本発明のヘルメットの第３実施形態について説明するが、前述した実施形態との相違点を中心に説明し、同様の事項はその説明を省略する。
本実施形態は、指掛け部の形状が異なること以外は前記第１実施形態と同様である。
【００４７】
図６に示すように、本実施形態では、指掛け部４６は、指先が当接する底部４６２を有する凹部で構成されている。この底部４６２により、指ＦＧの空間４６１（指掛け部４６）への挿入限界が規制され、よって、指ＦＧの挿入し過ぎを防止することができる。これにより、第１ベルト４の長さの調整後、指ＦＧを空間４６１から容易に抜くことができる。
【００４８】
＜第４実施形態＞
図７は、本発明のヘルメットの第４実施形態を示す背面図である。
【００４９】
以下、この図を参照して本発明のヘルメットの第４実施形態について説明するが、前述した実施形態との相違点を中心に説明し、同様の事項はその説明を省略する。
【００５０】
本実施形態は、装着状態維持部の構成が異なること以外は前記第１実施形態と同様である。
【００５１】
図７に示すように、本実施形態では、第１ベルト４は、指掛け部（第１指掛け部）４６と異なる部分に、指ＦＧ’を掛ける指掛け部（第２指掛け部）４８を有している。この指掛け部４８は、他端４２側の第１部分４３と第２部分４４との境界部付近に位置している。また、指掛け部４８は、第１ベルト４をその厚さ方向に貫通する貫通孔で構成されている。これにより、指掛け部４８は、指ＦＧ’が挿入される空間４８１が形成された部分となる。そして、この空間４８１に指ＦＧ’を挿入して、指掛け部４８に指ＦＧ’を引掛けることができる。
【００５２】
第１ベルト４の長さの調整する際には、指掛け部４６に指ＦＧ（例えば親指）を掛け、指掛け部４８に指ＦＧ’（例えば人差し指）を掛けて、その調整を行なうことができる。これにより、第１ベルト４の長さの調整が容易となる。
【００５３】
なお、貫通孔で構成された指掛け部４８の形状は、本実施形態では第１ベルト４の平面視で円形をなしているが、これに限定されず、例えば、四角形等のような多角形や等であってもよい。
【００５４】
＜第５実施形態＞
図８は、本発明のヘルメットの第５実施形態を示す側面図である。
【００５５】
以下、この図を参照して本発明のヘルメットの第５実施形態について説明するが、前述した実施形態との相違点を中心に説明し、同様の事項はその説明を省略する。
【００５６】
本実施形態は、装着状態維持部の構成が異なること以外は前記第１実施形態と同様である。
【００５７】
図８に示すように、本実施形態では、第２ベルト６は、指掛け部６６やガイド部６７を有するものである。指掛け部６６は、指掛け部４６と同様に、第２ベルト６長さの調整が行われるときに指ＦＧ（例えば人差し指）を掛ける部分である。ガイド部６７は、ガイド部４７と同様に、指掛け部６６に指ＦＧを案内する部分である。このような構成の第２ベルト６は、使用者のあごの下側でバックル５によって留められている。これにより、ヘルメット１の使用者に合った第２ベルト６の調整を迅速かつ容易に行なうことができる。
【００５８】
以上、本発明のヘルメットを図示の実施形態について説明したが、本発明は、これに限定されるものではなく、ヘルメットを構成する各部は、同様の機能を発揮し得る任意の構成のものと置換することができる。また、任意の構成物が付加されていてもよい。
【００５９】
また、本発明のヘルメットは、前記各実施形態のうちの、任意の２以上の構成（特徴）を組み合わせたものであってもよい。
【符号の説明】
【００６０】
１            ヘルメット
２            帽体
３            装着状態維持部（着装体）
４            第１ベルト
４１          一端
４２          他端
４３          第１部分
４４          第２部分
４５          第１爪部
４５１        傾斜面
４５２        直立面
４６          指掛け部（第１指掛け部）
４６１        空間
４６２        底部
４７          ガイド部
４７１        傾斜面
４８          指掛け部（第２指掛け部）
４８１        空間
５            バックル
６            第２ベルト
６６          指掛け部
６７          ガイド部
７            ハウジング（本体部）
７１          一端側壁部
７１１        貫通孔
７２          他端側壁部
７２１        貫通孔
７３          上側壁部
７４          下側壁部
７５          背面側壁部
７５１        貫通孔
８            係合部材
８１          第２爪部
８２          操作部
８３          連結部
ＦＧ          指
ＦＧ’        指
ＨＤ          頭部
α４          矢印
α８          矢印
【図１】
2019044302.tif 000003
【図２】
2019044302.tif 000004
【図３】
2019044302.tif 000005
【図４】
2019044302.tif 000006
【図５】
2019044302.tif 000007
【図６】
2019044302.tif 000008
【図７】
2019044302.tif 000009
【図８】
2019044302.tif 000010